(57)【要約】【課題】既存の帽体にでも取付けることが可能で、長時間の使用が可能にして換気機能を高め快適性を確保できる換気装置を提供する。【解決手段】ヘルメット２の帽体３内部に取付けて着用時内部と外気の流通を行わせる換気装置１であって、帽体内頂部から後頭部側縁まで延びる所要幅で偏平な発泡樹脂製の通風路形成体１０と、この通風路形成体１０の前記帽体内頂部位置に埋め込まれて取付く電動排風機２０と、この電動排風機２０を電源に接続する配線２７，２９と、着用者が所持してその配線と外部で接続される電池２５とで構成され、前記通風路形成体１０には前記電動排風機２０への吸引口１３を設けて前記後頭部縁までの間に排風路１１が形成されて、この通風路形成体１０が帽体内面３ａに沿わせて接着手段で後付けできる構成である。【選択図】図１
0003113280.tif 000002
【実用新案登録請求の範囲】
【請求項１】
ヘルメットの帽体内部に取付けて着用時内部と外気の流通を行わせる換気装置であって、帽体内頂部から後頭部縁まで延びる所要幅で偏平な発泡樹脂製の通風路形成体と、この通風路形成体の前記帽体内頂部位置に埋め込まれて取付く電動排風機と、この電動排風機を電源に接続する配線と、着用者が所持してその配線と外部で接続される電源電池とで構成され、前記通風路形成体には前記電動排風機への吸引口を設けて前記後頭部縁までの間に排気通路が形成され、この通風路形成体が帽体内面に沿わせて接着手段で後付けできる構成であることを特徴とする換気装置。
【請求項２】
前記電動排風機と電源電池とを繋ぐ配線は接続端子で着脱可能にして、かつ配線途中にスイッチと配線の緊急断線部とが設けられている請求項１に記載の換気装置。
【請求項３】
帽体内頂部から後頭部側縁まで延びる所要幅で偏平な発泡樹脂製の通風路形成体が内面に沿い付設され、この通風路形成体には前記帽体内頂部位置に電動排風機が埋め込まれて取付けられ、この電動排風機の前面位置に吸引口を設けて前記後頭部縁までの間に排気通路が形成され、前記電動排風機を着用者が所持する電源電池と配線で接続するようにされ、帽体の前記排風通路端に隣接する縁部に適宜長さで排気を着用者の首筋に向かわせるダンパーが取付けられ、ハンモックのバックサポーターに所要長さ寸法の冷却垂れ布を着脱可能に装着されていることを特徴とする換気装置を備えたヘルメット。
【請求項４】
帽体内頂部から後頭部側縁まで延びる所要幅で偏平な発泡樹脂製の通風路形成体が内面に沿い付設され、この通風路形成体には前記帽体内頂部位置に電動排風機が埋め込まれて取付けられ、この電動排風機の前面位置に吸引口を設けて前記後頭部縁までの間に排気通路が形成され、前記電動排風機を着用者が所持する電源電池と配線で接続するようにされ、帽体の外側縁部に着用者の後頭部側に垂れ下がる冷却垂れ布を着脱可能に装着されていることを特徴とする換気装置を備えたヘルメット。
【請求項５】
前記冷却垂れ布は、保水機能を備える布帛で形成されている請求項３または４に記載の換気装置を備えたヘルメット。
【考案の詳細な説明】
【技術分野】
【０００１】
本考案は、ヘルメットを着用した際の頭部の蒸れを解消できるようにする換気装置およびその換気装置を備えたヘルメットに関するものである。
【背景技術】
【０００２】
一般に頭部に打撃を受けたり落下物や飛来物による衝撃を受ける恐れのある作業に従事する作業者は、頭部を保護するためにヘルメットを着用するように義務付けられている。ところが、ヘルメットを長時間着用していると、どうしても頭部を囲うヘルメット内の通気性がよくないことから頭部が蒸れて不快感を受けることになる。特に湿度の高い季節や日照が激しい屋外での作業時には、発汗作用と通気性の悪いことにより頭部が蒸れて不快感が高まり作業能率が低下する。
【０００３】
このような状況からヘルメットを着用しての不快感を改善する手段として、ヘルメット内の通気性を良好にして蒸れを防止する試みが既に多く提案されている。その多くはヘルメットの内部にファンを配して無秩序に空気を攪拌することに注力されており、効果的でない。このような問題を解決する手段として、ヘルメットの帽体に電池を取付けて、帽体の内部に付された衝撃吸収ライナーの頂部に設けたファンを駆動するようにし、その衝撃吸収ライナーの頂部に下向きの吸気口を形成するとともに、その吸気口に連通する通風路をヘルメットの前後方向に沿って前記衝撃吸収ライナーに溝状に形成し、吸気口からファンによって吸込んだ空気を通風路を通じて外部に放出するようにしたものが特許文献１によって開示されている。
【０００４】
【特許文献１】実用新案登録第２５９３９４５号公報
【考案の開示】
【考案が解決しようとする課題】
【０００５】
しかしながら、前記先行技術による冷風冷却ヘルメットでは、衝撃吸収ライナーに吸気口と通風路を形成し、かつ電動ファンを組付けてなるものを、帽体内部に組み付けて構成されるものであるから、構成上帽体の形状と合致しなければならず、特定のヘルメットと一体的なものになる。したがって、既存のヘルメットには採用できないという問題点がある。また、組み付けられるファンの電源として、太陽電池もしくは乾電池をヘルメットに取付けるという構想であるが、太陽電池の場合はコンデンサが付帯され、また乾電池であればその収容スペースをヘルメット内に設けるには余裕がない。したがって、仮に乾電池あるいはコンデンサをヘルメット内に付属配置できるとしても、非常に小型のものが要求され、その蓄電容量が少ないものとなってファンの実働時間が短くなり十分な機能を発揮させることができないという問題がある。併せてそれら電池の質量が帽体に付加されることと、取付け位置が安全性に関わることになるという問題点もある。
【０００６】
本考案では、このような問題点を解決するためになされたもので、既存の帽体にでも取付けることが可能で、長時間の使用が可能にして換気機能を高め快適性を確保できる換気装置とその換気装置を備えたヘルメットを提供することを目的とするものである。
【課題を解決するための手段】
【０００７】
前記目的を達成するために、第１考案による換気装置は、
ヘルメットの帽体内部に取付けて着用時内部と外気の流通を行わせる換気装置であって、帽体内頂部から後頭部側縁まで延びる所要幅で偏平な発泡樹脂製の通風路形成体と、この通風路形成体の前記帽体内頂部位置に埋め込まれて取付く電動排風機と、この電動排風機を電源に接続する配線と、着用者が所持してその配線と外部で接続される電源電池とで構成され、前記通風路形成体には前記電動排風機への吸引口を設けて前記後頭部縁までの間に排気通路が形成され、この通風路形成体が帽体内面に沿わせて接着手段で後付けできる構成であることを特徴とするものである。
【０００８】
前記考案において、前記電動排風機と電源電池とを繋ぐ配線は接続端子で着脱可能にして、かつ配線途中にスイッチと配線の緊急断線部とが設けられているのがよい（第２考案）。
【０００９】
また、第３考案による換気装置を備えたヘルメットは、
帽体内頂部から後頭部側縁まで延びる所要幅で偏平な発泡樹脂製の通風路形成体が内面に沿い付設され、この通風路形成体には前記帽体内頂部位置に電動排風機が埋め込まれて取付けられ、この電動排風機の前面位置に吸引口を設けて前記後頭部縁までの間に排気通路が形成され、前記電動排風機を着用者が所持する電源電池と配線で接続するようにされ、帽体の前記排風通路端に隣接する縁部に適宜長さで排気を着用者の首筋に向かわせるダンパーが取付けられ、ハンモックのバックサポーターに所要長さ寸法の冷却垂れ布を着脱可能に装着されていることを特徴とするものである。
【００１０】
さらに、第４考案による換気装置を備えたヘルメットは、
帽体内頂部から後頭部側縁まで延びる所要幅で偏平な発泡樹脂製の通風路形成体が内面に沿い付設され、この通風路形成体には前記帽体内頂部位置に電動排風機が埋め込まれて取付けられ、この電動排風機の前面位置に吸引口を設けて前記後頭部縁までの間に排気通路が形成され、前記電動排風機を着用者が所持する電源電池と配線で接続するようにされ、帽体の外側縁部に着用者の後頭部側に垂れ下がる冷却垂れ布を着脱可能に装着されていることを特徴とするものである。
【００１１】
前記第３考案または第４考案において、前記冷却垂れ布は、保水機能を備える布帛で形成されているのがよい（第５考案）。なお、その冷却垂れ布はバックサポーターあるいは帽体の外周面にスナップもしくはフックファスナーを用いて着脱可能に装着するのがよい。
【考案の効果】
【００１２】
前記第１考案によれば、電動排風機によって帽体内頂部で吸引した内部の湿った空気を、通風路を通じて、帽体後頭部縁で外部に排出するように流れを作り出し、帽体のその他の内周部から外気を吸引流入するように換気ルートを形成することができ、微風ながら帽体内で外気を流動して換気させることができる。したがって、帽体内部での蒸れを解消することが可能になり、しかも排風を後頭部から首の付け根部分に流すことで涼風感を与えることができ、不快感を除くことが可能になる。また、このような冷感を与えて不快を除く機能を備えた換気装置が、偏平な形状の発泡樹脂製にて構成して接着手段によって帽体の内面に沿わせてハンモックと帽体内面との隙間を利用して取付けることができるので、既存の帽体に対して簡単に装着でき、一般のヘルメットを冷風換気機能を備えたヘルメットに変換して便利に活用できるという利点がある。また、排風機の電源は着用者の作業着ポケットなどを利用して電池（充電式電池が好ましい）を身に着けて使用出来るので、その電池の蓄電容量に応じた時間で使用でき、必要に応じて充電された電池と交換することにより長時間での使用ができるという実用的な効果を奏するのである。
【００１３】
前記第２考案の構成を採用すれば、帽体の着用と同時に電源電池を身体に装着して、手元スイッチで必要なとき電源を排風機に接続して使用することができ、帽体の着用以外のときには接続端子部で切り離すことにより支障を来たさない。また、使用中に不測の事態が発生して配線が外部の物体に引き掛ける事態が発生しても、その外力を受けると配線中に設けた緊急断線部で切断され、配線を異物に引っ掛けたことにより帽体着用者に危害が及ぶのを未然に防止することができるという効果を奏する。
【００１４】
また、第３考案によれば、排風機によって帽体内頂部で吸引した内部の空気を通風路で導いて排風口から放出すれば、その排風が帽体縁に取付けられたダンパーによって着用者の首筋付近に向けて微風となって流れ出し、ハンモックに付属するバックサポーターを利用して冷却垂れ布を取付けることにより、その冷却垂れ布に水を含ませておくと前記ダンパーによって導かれた排風が接触して、保水の気化に伴う冷却効果により、一層の冷感が得られ、保護帽としてのヘルメットを着用して行われる炎天下などでの作業能率向上に寄与するという効果が得られるのである。
【００１５】
さらに、第４考案および第５考案によれば、前記第１考案において説明したような作用効果をヘルメット自体によって得ることができるように一体的に構成されており、これに加えて冷却垂れ布に水分を含ませて帽体に装着して使用すれば、帽体内での換気機能での涼風感とともに、その冷却垂れ布における保水の気化に伴う冷却効果により、一層の冷感が得られ、炎天下などでの作業能率向上に寄与するという効果が得られる。
【考案を実施するための最良の形態】
【００１６】
次に、本考案の換気装置およびその換気装置を備えるヘルメットの具体的な実施の形態について、図面を参照しつつ説明する。
【００１７】
図１には本実施形態の換気装置を備えるヘルメットの縦断面図が、図２にはハンモックを除いて表わす帽体の内面側を見た平面図（ａ）と通風路形成体の横断面を模式的に表わす図（ｂ）が、図３には図１のＡ−Ａ視断面を模式的に表わす図が、図４にはヘルメットの別例の要部を表わす図（ａ）と冷却垂れ布の装着部の態様を分離して模式的に表わす図（ｂ）が、図５には帽体に冷却れ布を装着した態様のヘルメットの側面図が、それぞれ示されている。
【００１８】
本実施形態の換気装置１は、保護帽として使用されるヘルメット２の内部に装着して作業者が着用状態で帽体内部の換気ができるようにしたものである。
【００１９】
この換気装置1は、図1に示されるように、帽体３の内面に沿わせて着用時の頭頂部に対応する内面頂部４から後頭部に対応する後部内面に到る区間に取付けられる通風路形成体１０と、この通風路形成体１０の前記内面頂部４位置に組込まれる偏平な小型の電動排風機２０と、帽体外部で着用者が所持する電源（電池２５）と、この電源から前記電動排風機２０に給電するための配線とで構成されている。
【００２０】
まず、前記通風路形成体１０は、発泡樹脂で形成されており、帽体２内部に内装される周知構造のハンモック５と帽体２の内面との間に収まる高さ寸法で、所要幅の全体として長方形にされ、装着される帽体３の内面３ａに沿って換気する溝状の通風路１１（本発明の排気通路に相当）が形成されている。また、この通風路形成体１０の帽体内面頂部４に対応する箇所には前記電動排風機２０が嵌り込む角型の凹部１２と組立時の帽体２内部に向かって開口する吸引口１３が設けてある。このように形成される通風路形成体１０は一体に成型されている。なお、前記発泡樹脂としては例えば高密度ポリエチレン樹脂、ポリスチレン樹脂などが用いられる。
【００２１】
前記電動排風機２０は、周知構造の直流モータ２１で駆動されるユニット型の偏平な排風機で、前記通風路形成体１０の角型凹部１２にフレーム部を嵌め合わせて装着使用される。
【００２２】
前記通風路形成体１０は、凹部１２に電動排風機２０を組込んで帽体内面３ａに沿わせ装着されるのであり、その通風路形成体１０の帽体内面３ａに接する面には例えば両面接着テープのような接着剤片を貼着して、この接着剤片の接着剤層１４を介して接着するようにされている。こうすれば、通風路形成体１０自体が柔軟性を備えているので、帽体３の曲面に沿って密接させて取付けることができ、溝状に形成される部分が帽体３の内面３ａとの組合わせで偏平な角型断面の通風路１１が形成される。また、前記電動排風機２０が組込まれる部分の吸引口１３の前面には、保護ネット１５が貼着されており、頭髪が吸引口１３に引き込まれないようにされている。
【００２３】
前記電動排風機２０を駆動するための電源としては、別途着用者が所持できる寸法形状にされたケース２６に収容される電池２５が用いられる。この電池２５としては、一次電池を用いてもよいが、例えばニッカド電池あるいはリチウム電池など充電式の二次電池を用いることにより充電して繰り返し使用できるのでより好ましい。そして、この電池２５は複数本例えば作業服のポケットに収容できる程度の大きさに形成された電池ケース２６に収容して配線により前記排風機２０のモータ部２１に接続する。
【００２４】
前記電池２５と電動排風機２０との配線２７は、前記通風路形成体１０の発泡材の内部を通して帽体２の縁近傍まで延長し、接続端子２８を介在させて前記電池ケース２６までは外部配線２９とされている。この外部配線２９は着用者の作業に支障を来たさない程度の長さでフリーにされる。また、この外部配線２９には例えば前記電池２５との接続部の手前に手元スイッチ３０を設けて、この換気装置１のオン・オフができるようにされている。なお、この外部配線２９はフリーの状態にするので、なるべく作業者の身体に沿える寸法とされ、その配線の途中に緊急断線部３２を設けておくのが望ましい。この緊急断線部３０としては、例えば雄雌の嵌め合い端子構造にして外装ケースに収めたものとし、作業中に配線を外部構造物などに引っ掛けて一定以上の外力が働いた場合、前記端子構造部で外れて配線が分断されるようなものであるのがよい。こうしておくと、外部の配線部分に大きな外力が作用しても着用者に危害を及ぼすことが回避できる。また、換気装置１を損傷させるのを予防することができる。なお、外部配線に前記緊急断線部３２を設ける代わりに、その外部配線２９には作業服に対して仮止めできる例えばフック付きのファスナーを付設して、そのファスナーによって作業服に配線が沿うように止める方式を採用してもよく、こうすれば、作業時に外部の構造物などに配線が触れるのを防止できる。
【００２５】
このように構成される本実施形態の換気装置１は、例えば既存のヘルメット２（保護帽）に装着して使用することができる。すなわち、ヘルメット２に内装されるハンモック５を、そのヘッドバンド５ａの外周に設けられている帽体３に対する取付部（図示せず）において取外し、ハンモック５を帽体３から除いた状態で通風路形成体１０を、その接合面に予め取付けられている接着テープ（両面テープ）の接着剤層１４を保護する剥離紙を剥がして帽体内面３ａに沿わせて接着する。この際、電動排風機２０の取付く部分を帽体３の内頂面部に対応させ、その反対端部を帽体３の後部内面に対応するようにして接着する。こうすると、通風路形成体１０が、図１および図２に示されるように、帽体３の内頂部から前後方向に後端部に向かって装着できる。この換気装置１を帽体３に装着した後は、ハンモック５を元の状態に戻してヘルメット２として着用できる状態にしておく。
【００２６】
こうしてヘルメット２に換気装置１を組み付けられたヘルメット２を着用して換気装置１を使用するには、その通風路形成体１０の一方の縁に沿って配されているヘルメット２側の電気配線２７の接続端子２８に、外部配線２９側の接続端子を嵌め込んで接続すると、電池ケース２６内の電池２５と外部配線２９によって電動排風機２０が繋がれて換気装置１が使用可能になる。そこで、着用者が電池２５を充填した電池ケース２６を作業服のポケットなどに収めて、外部配線２９中に付されているスイッチ３０をオンにすると、電池２５から電動排風機２０のモータ２１に通電してその排風機２０が駆動される。すると、吸引口１３から帽体３内部の空気が吸引されて、帽体内頂面４と排風機２０との隙間Ｃ（図３参照）を通って通風路形成体１０の通風路１１に流れ、その通風路１１に導かれて帽体３下端部に沿った通風路１１の排風口１６から排出される。この排気の気流は緩やかであるが、排風機２０の運転によって継続して排気が行われ、微風となって排風口１６から放出されると、ちょうど着用者の後頭部下の首筋に当たる部分に放出されるので、その首筋での気流の発生によって涼風感が醸し出される。
【００２７】
また、帽体３内の頭頂部では着用者の発汗などによって蒸れた空気が少しずつ排風機２０によって吸引口１３から通風路１１に吸引排気されるので、それに伴い帽体３の周囲から外気が内部に流入し、その気流によって頭部に涼風感を感じさせることができる。したがって、帽体３内での換気が継続し、気流の発生に伴う涼風感と湿気の滞留による蒸れが消去することとの相乗効果で不快感を解消することができるのである。また、電源を着用者に所持させることで容量の大きな電池を使用出来るので、電池２５の持続時間を長めることが可能になって長時間継続的に換気操作を行わせることが可能になり、不快感の発生を抑えることができ、炎天下や湿度の高い環境下でも作業環境を改善できて作業能率の向上を図ることができるのである。なお、換気操作が不要になれば、手元でスイッチ３０をオフ操作すれば、電動排風機２０の運転が停止して換気機能が停止する。したがって、作業状況に応じて、手元でスイッチ３０をオン・オフすることにより自由に換気時間を選択して不快感を除くことができる。
【００２８】
次に、図４（ａ）（ｂ）に示されるのは、換気装置を備えたヘルメットの別態様の要部を示すものである。この実施形態では、基本的に前記実施形態のものと同様であるが、ヘルメット２のハンモック５にバックサポーター６を備えたものを使用して、冷却垂れ布４０を付設し、冷風感を高め得るようにしたものである。
【００２９】
この実施形態のヘルメット２は、前述の通風路形成体１０における通風路１１下端の排風口１６に隣接する帽体３の縁部３ｃに沿ってダンパー１７が取付けられている。このダンパー１７は、軟質の多孔質板材で適宜高さ寸法にして前記排風口１６の幅よりも長い範囲で基端を帽体３の縁部３ｃに沿わせ、排風口１６から流れ出す排気が着用者の首筋に向かって流れ得るような向きとなるようにして接着剤で接着されている。また、ハンモック５に付属する周知のバックサポーター６に沿わせて冷却垂れ布４０が着脱可能に取付けられている。
【００３０】
前記冷却垂れ布４０は、保水性を備えた布で形成されてヘルメット２を着用した作業者の頸部からうなじの付近までの高さ寸法で適宜幅に縫製されたものである。この冷却垂れ布４０を形成する材料としては，高吸水性繊維（例えば商品名「ランシールＦ」東洋紡製）を用いて織られた布帛で形成されている。そして、この冷却垂れ布４０の吊下げ基部４１には、前記バックサポーター６の内面に沿わせて着脱可能に取付けられるように、多数のフック片を備えた面ファスナー１８ａが複数箇所に縫着されている。これに対して、バックサポーター６の頭部に接する内面には、多数のループ片を備える面ファスナー１８ｂが複数箇所に取付けられる（図４（ｂ）参照）。
【００３１】
このように構成される実施形態のヘルメット２では、着用に際して予め水を含ませた冷却垂れ布４０を、その基部に取付く面ファスナー１８ａでもってバックサポーター６に付されている面ファスナー１８ｂに接触させて装着する。このようにしたヘルメットを使用者（作業者）が着用すると、帽体後部で冷却垂れ布４０が着用者の後頭部からうなじにかけて垂れ下がった状態になる。こうして使用すれば、前記実施形態と同様にして排風機２０によって帽体３の内頂部で吸引された内部の空気が通風路１１で導かれて排風口１６から放出されると、その排風がダンパー１７によって着用者の後頭部下を保持するように配されるハンモック５のバックサポーター６に取付いて垂下する冷却垂れ布４０に向かって流れ出すので、その冷却垂れ布４０で保水している水が蒸発する際の気化の潜熱によってその周囲の空気が冷やされるので、帽体３内での換気に加えて一層の冷風感を高めることができるという利点がある。なお、前記冷却垂れ布４０は、バックサポーター６に対して前述のように着脱可能に取付けられるので、乾燥すると取外して容易に吸水させることができるので、繰返して使用することにより冷風感を長めることができる。また、不用なときには取外して帽体を使用すればよい。この際、バックサポーター６に取付く面ファスナー１８ｂは、ループ片であるから支障を来たすことはない。
【００３２】
次に、図５に示されるのは、ヘルメットの帽体外部に冷却垂れ布を装着した態様を表わしている。この実施形態では、前述の換気装置１を備えたヘルメット２に、冷風感を増加させる冷却垂れ布４０Ａを付加するものであり、帽体３の外面後部周縁に多数のフック片を備えた面ファスナー１８ａを複数箇所に貼着し、この面ファスナー１８ａによって冷却垂れ布４０Ａの上部内面を着脱可能に付着させて着用者の後背部を覆うようにしたものである。
【００３３】
前記冷却垂れ布４０Ａは、前述の実施形態で使用される冷却垂れ布４０と同じ材料（高吸水性繊維（例えば商品名「ランシールＦ」東洋紡製）を用いて織られた布帛）であり、保水性を備えた布で形成されてヘルメット２を着用した作業者の首筋から肩甲骨の付近までの高さ寸法に縫製されたものである。この垂れ布はきわめて吸水性の高い繊維で形成されているので、この布に水を含ませて着用するヘルメット２に、図５で示されるように取付けて垂らすようにすれば、炎天下で作業を行うような場合、保水している水が蒸発する際の気化の潜熱によってその周囲、特に着用者の首筋から後背部近傍の空気が冷やされるとともに、直射光を遮断して冷風感を増し、不快を除いて作業性を向上させることができる。しかも、この冷却垂れ布４０Ａは、帽体２に対して着脱容易であるから、水分が除かれると再び水でぬらして使用することができる。
【００３４】
したがって、このような冷却垂れ布４０Ａと前述の換気装置１を併用すれば、帽体２内部での蒸れを除き、かつ後背部での気化潜熱を利用する冷却効果とが相俟って不快感をなくして屋外などでの炎熱作業から作業者を保護することができる。なお、ハンモック５の頂部に、前記冷却垂れ布４０Ａと同様の布帛にてなる布切れを取付けるようにすれば、より一層冷却感を高めることができる。
【００３５】
前記実施形態の説明においては、換気装置１の主体をなす通風路形成体１０を既存のヘルメット２の帽体３に後付けすることについて記載したが、新規製作のヘルメットに設けるようにすることができる。
【００３６】
また、前記冷却垂れ布４０Ａを付すようにしたヘルメットを用いる場合、前述のハンモック５のバックサポーター６に冷却垂れ布４０を取付ける方式のものを併用することも可能である。
【図面の簡単な説明】
【００３７】
【図１】本実施形態の換気装置を備えるヘルメットの縦断面図
【図２】ハンモックを除いて表わす帽体の内面側を見た平面図（ａ）と通風路形成体の横断面を模式的に表わす図（ｂ）
【図３】図１のＡ−Ａ視断面を模式的に表わす図
【図４】ヘルメットの別例の要部を表わす図（ａ）と冷却垂れ布の装着部の態様を分離して模式的に表わす図（ｂ）
【図５】帽体に冷却垂れ布を装着した態様の側面図
【符号の説明】
【００３８】
１    換気装置
２    ヘルメット
３    帽体
４    帽体内面頂部
５    ハンモック
６    バックサポーター
１０，１０Ａ    通風路形成体
１１    通風路
１３    吸引口
１５    保護ネット
１６    排風口
１７    ダンパー
１８ａ，１８ｂ    面ファスナー
２０    電動排風機
２５    電池
２６    電池ケース
２７    内部配線
２８    接続端子
２９    外部配線
３０    スイッチ
４０，４０Ａ    冷却垂れ布
【図１】
0003113280.tif 000003
【図２】
0003113280.tif 000004
【図３】
0003113280.tif 000005
【図４】
0003113280.tif 000006
【図５】
0003113280.tif 000007